(57)【要約】
【課題】携帯電話の着信メロディや待受画像に対して、より多くの音楽や画像から選択できるように、業者側のコンピュータに接続してダウンロードするコンテンツ（音楽や映像）を、簡易な手法で販売できるものとする。
【解決手段】本考案の情報カードは、業者側のコンピュータに接続するために、シート本体および該シート本体に被せて被覆シートを剥離可能に粘着させた印刷シートと、被覆シートに、手で剥がせるように設けたカード形状のカード部と、カード部の背面、もしくは、シート本体の表面に記載した、ＵＲＬ，ＩＤ番号、パスワードで構成され、さらに、ＵＲＬがマトリックス方式による２次元コードを含み記載されている。
【選択図】図１
0003101364.tif 000002
【実用新案登録請求の範囲】
【請求項１】
利用者が業者側のコンピュータに接続し、音楽や映像のコンテンツを携帯電話にダウンロードすることで、前記コンテンツが利用できるように構成した前記コンテンツの販売システムにおいて、
前記業者側のコンピュータに接続するために提供される印刷物が、シート本体および該シート本体に被せて被覆シートを剥離可能に粘着させた印刷シートと、前記被覆シートに手で剥がせるように設けたカード形状のカード部と、を備え、前記カード部の背面、もしくは、前記シート本体の表面に、ＵＲＬ，ＩＤ番号、パスワード、前記ＵＲＬのマトリックス方式による２次元コード、を記載していることを特徴とする情報カード。
【請求項２】
前記業者側のコンピュータは、通信ネットワークを介した利用者の携帯電話からの接続要求に応じ、音楽や映像をダウンロードするように設けられたＷｅｂサーバーと、前記ＩＤ番号及びパスワードを判別する判別手段と、を備え、前記利用者の携帯電話に所定のコンテンツをダウンロードすることを特徴とする請求項１に記載の情報カード。
【考案の詳細な説明】
【技術分野】
【０００１】
本考案は、コンテンツ（音楽や映像）が販売されるシステムにおいて利用される情報カードに関する。
【背景技術】
【０００２】
近年、携帯電話の着信メロディや待受画像に対して、より多くの音楽や画像から選択できるように、その選択肢を増やして欲しいという要求があり、このような利用者の要求に答えるため、業者側は音楽や画像に趣向を凝らすと共に、それらの配信手段として直接携帯電話にダウンロード（配信）するといった手法で利用者の要求に答えている。ダウンロードの手法としては、携帯電話からの発信動作に対し、通信回線を介し、業者側の配信サーバが、この電話番号を受信して、携帯電話が要求するコンテンツ（音楽や画像）が、配信可能かどうかを判断し、これを利用できる携帯電話であると確認された場合にのみ、サーバはその要求を受けてコンテンツのダウンロードを開始する。ダウンロードされたコンテンツは、携帯電話内の記録媒体に格納され携帯電話で再生される。さらに、利用者が得たコンテンツが、他の再生機器で利用できないようにするための手法として、特開２００２−３７４２４４号公報の情報配信方法は、利用者を特定するためのユーザ毎のＩＤと、ユーザの特定および暗復号化に使用されるユーザ毎の秘密鍵とを記録した情報カードと、この情報カードを有する端末を通信回線を介してサーバと接続して、情報カード内のＩＤと秘密鍵を使用してユーザの認証をサーバ側で得る手段と、この手段で認証が得られると、情報カード内の秘密鍵と同一秘密鍵で暗号化された情報をサーバより端末に配信し、端末の記録媒体に情報を格納する手段とを備えている。
【特許文献１】特開２００２−３７４２４４号公報
【考案の開示】
【考案が解決しようとする課題】
【０００３】
携帯電話の着信メロディや待受画像に対して、より多くの音楽や画像から選択できるように、業者側のコンピュータに接続してダウンロードするコンテンツ（音楽や映像）を、簡易な手法で販売できるものとする。
【課題を解決するための手段】
【０００４】
本考案は、利用者が業者側のコンピュータに接続し、音楽や映像のコンテンツを携帯電話にダウンロードすることで、前記コンテンツが利用できるように構成した前記コンテンツの販売システムにおいて、前記業者側のコンピュータに接続するために提供される印刷物が、シート本体および該シート本体に被せて被覆シートを剥離可能に粘着させた印刷シートと、前記被覆シートに手で剥がせるように設けたカード形状のカード部と、を備え、前記カード部の背面、もしくは、前記シート本体の表面に、ＵＲＬ，ＩＤ番号、パスワード、前記ＵＲＬのマトリックス方式による２次元コード、を記載していることを特徴とする。前記業者側のコンピュータは、通信ネットワークを介した利用者の携帯電話からの接続要求に応じ、音楽や映像をダウンロードするように設けられたＷｅｂサーバーと、前記ＩＤ番号及びパスワードを判別する判別手段と、を備え、前記利用者の携帯電話に所定のコンテンツをダウンロードすることを特徴とする。
【考案の効果】
【０００５】
これにより、音楽や映像を携帯電話に配信する配信代金が、情報カードを販売することで回収できる。また、書籍、音楽ＣＤに添付した場合は、その付加価値を高めることができる。ＵＲＬがマトリックス方式による２次元コードを含み記載された場合は、カメラ付き携帯電話から容易に読み取れるものとなる。カード形状のカード部は、これを剥がして持ち歩ける好適なサイズとなることから、このカード部に記載された接続手段（ＵＲＬ，ＩＤ番号、パスワード）により、時や場所を選ぶことなく、音楽や映像（例えば、着信メロディや待受画面、ゲームを含む）を携帯電話にダウンロードすることができる。
【考案を実施するための最良の形態】
【０００６】
業者側のコンピュータに接続するための手段を記載して提供される情報カードが、シート本体および該シート本体に被せて被覆シートを剥離可能に粘着させた印刷シートと、被覆シートに、手で剥がせるように設けたカード形状のカード部と、カード部の背面に記載した接続手段（ＵＲＬ，ＩＤ番号、パスワード）と、を備え、利用者が業者側のコンピュータに接続し、音楽や映像のコンテンツを携帯電話にダウンロードすることで、様々なコンテンツ（例えば、着信メロディや待受画面、ゲームを含む）が利用できるようにする。
【実施例１】
【０００７】
図１の（ａ）は、印刷シート３（情報カード）を示したものであり、（ｂ）は、その印刷シート３から剥離したカード部３ｃの背面を示す。図２は、図１に示す印刷シート３を利用して構成される販売サービスのシステム概略図である。
【０００８】
図１における印刷シート３（情報カード）は、音楽や映像のコンテンツ（例えば、着信メロディや待受画面、ゲームを含む）を携帯電話にダウンロードする目的で、利用者が購入するものであり、シート本体３ａの表面に被覆シート３ｂを重ねて被せ、それぞれを感圧接着剤で粘着させたものである。この感圧接着剤は一時接着性の粘着剤であり、必要に応じて利用者が手で剥がせるように、被覆シート３ｂをシート本体３ａに粘着させている。被覆シート３ｂには、カード形状に切り取られて、シート本体３ａに粘り付けられているカード部３ｃがある。このカード部３ｃの背面には、業者側のコンピュータ（図２参照）に接続する手段、即ち、ＵＲＬ（Ｕｎｉｆｏｒｍ  Ｒｅｓｏｕｒｃｅ  Ｌｏｃａｔｏｒｓ）４ａ、ＩＤ（Ｉｄｅｎｔｉｆｉｃａｔｉｏｎ）番号４ｄ、パスワード４ｅが記載されている。また、カード部３ｃを剥離することにより露出するシート本体３ａには、ＵＲＬ４ａの他に、ｍａｉｌ（メールアドレス）４ｂ、ＱＲ−ｃｏｄｅ（マトリックス方式による２次元コード）４ｃが記載されている。尚、これらＵＲＬ４ａ、メール番号４ｂ、ＱＲ−ｃｏｄｅ４ｃは、カメラ付き携帯電話からＯＣＲ機能やＱＲコードを使ってアクセスし易いように、複数の文字サイズや模様で記載したものとする。
【０００９】
図２は、印刷シート３（情報カード）を含み構成される販売サービスシステムの概略図である。この図２において、１は音楽コンテンツ５ａや画像コンテンツ５ｂを提供する業者側のコンピュータであり、２は利用者の携帯電話、３は業者側のコンピュータ１に接続するための手段を記載して提供される印刷シート、６は利用者の携帯電話２が、業者側のコンピュータ１に接続する際に利用されるインターネット、イントラネット、携帯電話用の無線通信ネットワーク等の通信ネットワークである。
【００１０】
業者側のコンピュータ１は、音楽や映像をダウンロードするために設けたＷｅｂサーバー７、ファイル転送用のＦＴＰサーバー８、電子メール用のメールサーバー９、判別手段１１、音楽コンテンツ５ａ、画像コンテンツ５ｂを備えている。判別手段１１は、利用者が、Ｗｅｂサーバー７を介して入力したＩＤ番号４ｄおよびパスワード４ｅの有効性をチェックして、音楽コンテンツ５ａもしくは画像コンテンツ５ｂへのアクセス許可を判断するものである。これにより、有効と判断された場合に、業者側のコンピュータ１は、音楽コンテンツ５ａもしくは画像コンテンツ５ｂのダウンロードを開始する。上述したＩＤ番号４ｄおよびパスワード４ｅの有効性をチェックする機能は、業者側のコンピュータ１に、利用者の接続を管理する管理用データベース（図省略）が設けられていることにより、利用者が接続するごとに管理用データベースを更新するものである。
【００１１】
尚、業者側のコンピュータ１に接続する接続のための機器は、利用者の携帯電話２に限定されることなく、パソコン等、通信ネットワーク６を介して、業者側のコンピュータ１に接続して音楽コンテンツ５ａや画像コンテンツ５ｂが利用できるように構成されたものであればよい。また、印刷シート３が販売される形態は、店頭にて販売される形態、書籍等に添付される形態、もしくは、販売サービスとして無償で供与される形態とし、書籍等の刊行物に、一定金額分を上乗せして販売価格とした利用や、企業のプレゼント等として利用することが可能である。
【実施例２】
【００１２】
本考案の情報カードは、これを利用して構成されるシステムにおいて、業者側のコンピュータ１が各種コンテンツを運営管理するようにしてもよい。これにより、業者が、自社で音楽コンテンツや画像コンテンツを所有しなくとも、これを仲介するだけで、音楽コンテンツや画像コンテンツが提供できるものとなる。また、印刷シート３（情報カード）に記載されるＩＤ番号４ｄおよびパスワード４ｅは、任意の桁数の数字や、英数字の組合せ、もしくは特殊記号等でもよく、印刷シート３の購入者（サービスとして受け取った者を含む）によってのみ、ＩＤ番号４ｄおよびパスワード４ｅを得ることができるようにする。
【図面の簡単な説明】
【００１３】
【図１】（ａ）は、印刷シートを示したものであり、（ｂ）は、その印刷シートから剥離したカード部の背面を示す説明図である。
【図２】図１に示す印刷シート利用して構成されるシステム概略図である。
【符号の説明】
【００１４】
１  業者側のコンピュータ
２  利用者の携帯電話
３  印刷シート
３ａ  シート本体
３ｂ  被覆シート
３ｃ  カード部
４ａ  ＵＲＬ
４ｂ  ｍａｉｌ（メールアドレス）
４ｃ  ＱＲ−ｃｏｄｅ
４ｄ  ＩＤ番号
４ｅ  パスワード
５ａ  音楽コンテンツ
５ｂ  画像コンテンツ
６  通信ネットワーク
７  Ｗｅｂサーバ
８  ＦＴＰサーバ
９  メールサーバ
１１  判別手段
【図１】
0003101364.tif 000003
【図２】
0003101364.tif 000004